【事件の表示】
　平成１０年特許願第３０５１６７号「時間軸上でのスクロール表示方法、スクロール表示制御装置および記録媒体」拒絶査定不服審判事件〔平成１１年　８月　６日出願公開、特開平１１−２１２７００〕について、次のとおり審決する。
【結　論】
　本件審判の請求は、成り立たない。
【理　由】
１．手続の経緯
　本願は、平成１０年１０月２７日（優先権主張：平成９年１０月２８日）の出願であって、平成１９年３月１４日付けの拒絶の理由の通知に対して、同年９月１４日付けで意見書が提出されるとともに、同日付けで手続補正がなされたが、同年１０月９日付けで拒絶をすべき旨の査定がされ、これに対し平成２０年１月１０日に拒絶査定不服審判の請求がなされるとともに、同年２月８日付けで手続補正がなされたものである。
　
２．平成２０年２月８日付けの手続補正についての却下の決定
［結論］
　平成２０年２月８日付けの手続補正を却下する。
［理由］
（１）本件補正
　平成２０年２月８日付けの手続補正（以下「本件補正」という。）は、平成１９年９月１４日付けの手続補正書の特許請求の範囲の請求項（以下「補正前の請求項」という。）１〜２６を、平成２０年２月８日付けの手続補正書の特許請求の範囲の請求項（以下「補正後の請求項」という。）１〜２３に補正したものである。補正後の請求項１は、以下のとおりである。
　
「【請求項１】
　コンピュータ画面上に複数のＧＵＩ操作子をガントチャートと共に表示するステップであって、上記ＧＵＩ操作子が、ガントチャートの時間軸上において特定の時間領域にそれぞれ割り当てられた複数のボタンであり、上記割り当てられた時間領域のカレンダー情報を表示する、ステップと、
　上記複数のＧＵＩ操作子の１つの選択に反応して、前記選択されたＧＵＩ操作子に対応する期間に上記時間軸に沿ってガントチャートを移動させるステップと、
　上記カレンダー情報でなるＧＵＩ操作子の近傍にスクロールバーからなるＧＵＩ操作子が表示され、上記スクロールバーが操作されたときに、上記スクロールバーを構成するスクロールボックスの位置に対応する年月日の情報が上記画面上に表示されるように上記ガントチャートを上記時間軸に沿って移動させるステップと
　を含む、方法。」
　
　本件補正による請求項１は、補正前の請求項に記載した発明を特定するために必要な事項である「複数のＧＵＩ操作子をガントチャートと共に表示するステップ」について「上記カレンダー情報でなるＧＵＩ操作子の近傍にスクロールバーからなるＧＵＩ操作子が表示され、上記スクロールバーが操作されたときに、上記スクロールバーを構成するスクロールボックスの位置に対応する年月日の情報が上記画面上に表示されるように上記ガントチャートを上記時間軸に沿って移動させるステップ」との限定を付加する補正をしたものであり、本件補正は、特許法第１７条の２第４項第２号の特許請求の範囲の減縮を目的とするものに該当する。
　そこで、本件補正後の請求項１に記載された発明（以下「本願補正発明」という。）が特許出願の際独立して特許を受けることができるものであるか（特許法第１７条の２第５項において準用する同法第１２６条第５項の規定に適合するか）について以下に検討する。
　
（２）引用例の記載
　原査定の拒絶の理由に引用された特開平９−７３４３４号公報（平成９年３月１８日発行。以下「引用例」という。）には、図面とともに次の事項が記載されている。
　
Ａ．「【０００６】
【発明が解決しようとする課題】十分な画面サイズのない表示画面であっても、ユーザに見やすいフォントサイズを確保しつつ、前月または次月に渡った２週間分のスケジュールを同時に見ることのできるスケジューラを提供する。また、ユーザの希望する期間のカレンダーを表示することを可能にする。
【０００７】また、コンピュータや電子手帳等に不慣れな者にも容易に操作可能であり、誤操作の少ない使い易い操作手段を提供する。
【０００８】
【課題を解決するための手段】本発明の表示画面上に日単位の各種情報を表示可能なカレンダーを表示する方法は、特定の月カレンダーを呼び出し、特定月の各日を１週間１行として表示画面に表示する段階と、ズーミングのための入力を検出する段階と、ズーミングのための入力が検出された場合、現在表示されているカレンダーに連続し、特定日に近い側の少なくとも１週間を追加して表示する段階とを含む。」（第３頁左欄３５行目〜同頁右欄３行目）
　
Ｂ．「【００１８】
【発明の実施の形態】図３は、本発明に係るデータ処理システム１００をブロック図で示したものである。このデータ処理システム１００は処理装置２を含んでおり、更に処理装置２は、中央処理装置（ＣＰＵ）４とメモリ６とを含んでいる。処理装置２には、補助記憶装置としてハードディスク装置８とフロッピーディスク装置１０とを接続してある。フロッピーディスク装置１０にはディスケット１２が挿入され、このディスケット１２には、データ処理システム１００において本発明を実施するためのコンピュータ・プログラムのコードを記録してある。データ処理システム１００は更に、ユーザ・インターフェース・ハードウェアを備えたシステムとすることができ、ユーザ・インターフェース・ハードウェアとしては、例えば、処理装置２への入力をするためのポインティング・デバイス１４ないしキーボード１６や、視覚データをユーザに提示するためのディスプレイ１８がある。ポインティング・デバイス１４にはマウスの他、トラックボールやトラック・ポイント（トラック・ポイントはＩＢＭ社の商標）、ジョイ・スティック等がある。データ処理システム１００の具体的な実施形態として、携帯型パーソナル・コンピュータ，電子手帳，ゲームマシン等がある。
【００１９】続いて、カレンダーズーミング処理の流れを図４に示す。まず処理ブロック２０２において、図６に示すようなひと月分の通常のカレンダーを表示画面１８に表示する。この表示画面には、カレンダー表示領域２８内に９月の全ての日をカバーする５週間が週単位に表示されている。１月は２８〜３１日で変動するため、当初４〜６週間が表示されることとなる。但し、かかる表示を５週間に固定し、４週間となる場合は次月第１週を付加し、６週間となる場合は、第６週をカットするか第５週の初日または初日と２日目を分割し、第６週を組み込んでもよい。
【００２０】この表示画面１８上には、本発明の変更表示の好適な態様の１つであるズーム機能を選択するためのズームアイコン２４の他、週単位カレンダーの表示に切り換える週表示アイコン４０、月単位カレンダーの表示に切り換える月表示アイコン４２、半年単位カレンダーの表示に切り換える半年表示アイコン４４、リスト出力を行うリストアイコン４６が表示される。また、この表示画面１８の右の部分には、ルーラバー３３があり、これにより前月または次月方向に月カレンダーをスクロールさせることができる。さらに、この表示画面１８の左の部分には、月選択アイコン３４が存在し、表示する月を選択することが可能であり、該月選択アイコン３４は月スクロールアイコン３６，３８により、現在表示されている７〜１２月以外の月の選択も可能にしている。年表示２９及び月表示３０は現在表示されているカレンダーに連動して表示させることも可能である。なお、この表示画面には複数の日単位表示枠２０とこの表示枠２０内に表示される文字５０、図形５２や期間を示す線４８等を含ませることが可能である。また、本発明をマルチウインドウ環境で実施することは当業者に自明なことである。」（第４頁左欄１３行目〜同頁右欄１７行目）
　
Ｃ．「【図６】」（第８頁）
　【図６】からは、月選択アイコンに対応する３４で示されるアイコンが、表示画面の左の部分に、カレンダーにおける各月に対応して、対応する月が表示され、月の時系列方向に複数個配置されていることが読み取れる。
　また、３３で示されるルーラバーは、下の方向である次月方向に、ルーラバー内のスクロールボックスを移動できる構成となっていることが読み取れる。
　
　
　以上の記載によれば、引用例には、次の発明（以下「引用発明」という。）が記載されている。
　
「十分な画面サイズのない表示画面であっても、ユーザに見やすいフォントサイズを確保しつつ、前月または次月に渡った２週間分のスケジュールを同時に見ることのできるスケジューラを提供し、ユーザの希望する期間のカレンダーを表示することを可能にするものであって、
　データ処理システム１００において、
　データ処理システム１００は、ユーザ・インターフェース・ハードウェアを備えたシステムとすることができ、ユーザ・インターフェース・ハードウェアとしては、例えば、処理装置２への入力をするためのポインティング・デバイス１４ないしキーボード１６や、視覚データをユーザに提示するためのディスプレイ１８があり、
　表示画面上に日単位の各種情報を表示可能なカレンダーを表示する方法は、特定の月カレンダーを呼び出し、特定月の各日を１週間１行として表示画面に表示するもので、
　ひと月分の通常のカレンダーを表示画面１８に表示し、
　この表示画面には、カレンダー表示領域２８内に９月の全ての日をカバーする５週間が週単位に表示され、
　この表示画面１８上には、週単位カレンダーの表示に切り換える週表示アイコン４０、月単位カレンダーの表示に切り換える月表示アイコン４２、半年単位カレンダーの表示に切り換える半年表示アイコン４４、が表示され、
　この表示画面１８の右の部分には、ルーラバー３３があり、これにより前月または次月方向に月カレンダーをスクロールさせることができ、
　ルーラバー３３は、下の方向である次月方向にルーラバー内のスクロールボックスを移動できる構成となっており、
　この表示画面１８の左の部分には、月選択アイコン３４が存在し、表示する月を選択することが可能であり、該月選択アイコン３４は月スクロールアイコン３６，３８により、現在表示されている７〜１２月以外の月の選択も可能にしており、
　月選択アイコン３４は、カレンダーにおける各月に対応して、対応する月が表示され、月の時系列方向に複数個配置されており、
　年表示２９及び月表示３０は現在表示されているカレンダーに連動して表示させることも可能である、カレンダーを表示する方法。」
　
（３）対比
　本願補正発明と引用発明を対比する。
　
　引用発明の「カレンダー」は、前月または次月方向に月カレンダーをスクロールできる情報であり、また、本願補正発明の「ガントチャート」も時系列に沿って移動できる情報であるので、引用発明の「カレンダー」と本願補正発明の「ガントチャート」は、共に、時間軸に沿った情報である点で共通する。
　引用発明の「週単位カレンダーの表示に切り換える週表示アイコン４０」、「月単位カレンダーの表示に切り換える月表示アイコン４２」、「半年単位カレンダーの表示に切り換える半年表示アイコン４４」、「月選択アイコン３４」及び「ルーラバー３３」は、画面上の表示を切り換えるための操作アイコン及び操作バーであるので、これらの複数の操作アイコン及び操作バーは、本願補正発明の「複数のＧＵＩ操作子」に相当する。
　そして、引用発明のデータ処理システム１００はコンピュータによるシステムであることは明らかであり、データ処理システム１００は、ユーザ・インターフェース・ハードウェアを備えたシステムとすることができ、視覚データをユーザに提示するためのディスプレイ１８を有し、また、引用発明はデータ処理システム１００において、表示画面１８に表示をしているので、上記のカレンダーと複数の操作アイコン及び操作バーが「コンピュータ画面上」に表示されていることは明らかである。そのため、引用発明と本願補正発明は「コンピュータ画面上に複数のＧＵＩ操作子を時間軸に沿った情報と共に表示する」点で一致する。
　引用発明の「月選択アイコン３４」は、表示する月を選択することが可能なアイコンであるので、引用発明の「月選択アイコン３４」は、本願補正発明の「ボタン」であるといえる。
　また、引用発明の「各月」は、本願補正発明の「特定の時間領域」に相当するものであり、引用発明の「月選択アイコン３４」は、カレンダーにおける各月に対応して、月の時系列方向に複数個配置されているので、引用発明の「月選択アイコン３４」は本願補正発明の「時間軸に沿った情報の時間軸上において特定の時間領域にそれぞれ割り当てられた複数のボタン」である点で一致する。
　さらに、引用発明の「月選択アイコン３４」は、表示する月を選択することが可能であり、「月選択アイコン３４」には対応する「月」が表示されているので、引用発明の「月選択アイコン３４」は、本願補正発明の「割り当てられた時間領域のカレンダー情報を表示する」ことに相当する構成を有している。
　引用発明の「月選択アイコン３４」は、カレンダーにおける各月に対応しており、また、表示する月を選択することが可能であるので、「月選択アイコン３４」を選択することにより対応する「月」にカレンダーが移動することは明らかである。そして、この場合、各月のカレンダーの表示に移動することは、「月」という時間軸に沿ってカレンダーの表示が移動しているものといえる。そのため、引用発明と本願補正発明は、複数のＧＵＩ操作子の１つの選択に反応して、選択されたＧＵＩ操作子に対応する期間に時間軸に沿って時間軸に沿った情報を移動させる、という点で一致する。
　引用発明の「ルーラバー３３」は、前月または次月方向に月カレンダーをスクロールさせることができるものであり、また、本願補正発明の「ＧＵＩ操作子」に相当するものでもあるので、引用発明の「ルーラバー３３」は、本願補正発明の「スクロールバーからなるＧＵＩ操作子」に相当する。そして、引用発明の「ルーラバー３３」は、下の方向である次月方向に、ルーラバー内のスクロールボックスを移動できる構成となっているので、引用発明は、ルーラバー３３内のスクロールボックスを移動した場合に、次月以降の情報が表示されることは明らかである。また、引用発明は、月の全ての日をカバーする５週間が週単位に表示されるものであるので、上記の場合は、年月日の情報が画面上に表示されていることになる。そのため、引用発明と本願補正発明は、スクロールバーからなるＧＵＩ操作子が表示され、スクロールバーが操作されたときに、年月日の情報が画面上に表示されるように時間軸に沿った情報を時間軸に沿って移動させるという点で一致する。
　そして、引用発明と本願補正発明は、方法を特定する発明である点で共通する。
　
　
　すると、本願補正発明と引用発明とは、次の点で一致する。
　
一致点
「コンピュータ画面上に複数のＧＵＩ操作子を時間軸に沿った情報と共に表示するステップであって、
　上記ＧＵＩ操作子が、時間軸に沿った情報の時間軸上において特定の時間領域にそれぞれ割り当てられた複数のボタンであり、上記割り当てられた時間領域のカレンダー情報を表示する、ステップと、
　上記複数のＧＵＩ操作子の１つの選択に反応して、前記選択されたＧＵＩ操作子に対応する期間に上記時間軸に沿って時間軸に沿った情報を移動させるステップと、
　スクロールバーからなるＧＵＩ操作子が表示され、上記スクロールバーが操作されたときに、年月日の情報が上記画面上に表示されるように上記時間軸に沿った情報を上記時間軸に沿って移動させるステップと
　を含む、方法。」
　
　一方、両者は次の点で相違する。
　
相違点１
　本願補正発明と引用発明は、共に、複数のＧＵＩ操作子を時間軸に沿った情報と共に表示し、ＧＵＩ操作子が、時間軸に沿った情報の時間軸上において特定の時間領域にそれぞれ割り当てられた複数のボタンであり、選択されたＧＵＩ操作子に対応する期間に時間軸に沿って時間軸に沿った情報を移動させ、スクロールバーが操作されたときに、時間軸に沿った情報を時間軸に沿って移動させる点では共通するが、本願補正発明では、時間軸に沿った情報がガントチャートであるのに対し、引用発明は、時間軸に沿った情報がスケジューラを提供するためのカレンダーである点。
　
相違点２
　本願補正発明は、カレンダー情報でなるＧＵＩ操作子の近傍にスクロールバーからなるＧＵＩ操作子が表示されているのに対し、引用発明は、スクロールバーに相当するルーラバーからなるＧＵＩ操作子が表示されているが、その位置は、カレンダー情報でなるＧＵＩ操作子の近傍ではない点。
　
相違点３
　本願補正発明は、スクロールバーが操作されたときに、スクロールバーを構成するスクロールボックスの位置に対応する年月日の情報が画面上に表示されるものであるのに対し、引用発明では、スクロールバーが操作されたときに、年月日の情報が画面上に表示されるものではあるが、スクロールボックスの位置に対応する年月日の情報が画面上に表示されるものであるかが明らかではない点。
　
（４）当審の判断
　上記相違点について検討する。
　
（相違点１についての検討）
　スケジュールを管理する予定図表として、画面内にＧＵＩ操作子を共に表示するガントチャートは、本願明細書中（段落【０００２】−【０００４】、【図１２】）にも従来技術として記載され、また、原査定において周知技術を示す文献として引用された特開平７−２５１３５６号公報：段落【００３２】、【図９】（以下、周知例１という。）、及び、特開平７−１３４７６５号公報：段落【００５１】、【図２０】（以下、周知例２という。）に記載されているように周知である。
　そのため、時間軸に沿った情報がスケジューラを提供する引用発明のカレンダーを周知のガントチャートとして本願補正発明のように構成することは当業者であれば容易に成し得ることである。
　
（相違点２についての検討）
　上記の周知例２に記載されているように、ガントチャートにおいてスクロールバーを具備させることは周知の技術である。そして、そのスクロールバーを画面上でどのような位置に配置するかは、当業者が画面設計時に適宜選択して設定し得ることである。
　
（相違点３についての検討）
　スクロールバー内のスクロールボックスの位置と、表示される情報をどのように対応づけるかは、当業者が画面の設計時に適宜選択して設定し得る事項であり、引用発明において、スクロールボックスの位置に表示させたい年月日を対応づけるように構成することは、当業者であれば容易に成し得ることである。
　
　また、本願補正発明の構成によって生じる効果も、引用発明及び周知技術に基づいて、当業者が予測できるものである。
　
　したがって、本願補正発明は、引用発明及び周知技術に基づいて、当業者が容易に発明をすることができたものであるから、特許法第２９条第２項の規定により特許出願の際独立して特許を受けることができないものである。
　
（５）むすび
　以上のとおり，本件補正は，平成１８年法律第５５号改正附則第３条第１項によりなお従前の例によるとされる同法による改正前の特許法第１７条の２第５項において準用する同法第１２６条第５項の規定に違反するので，同法第１５９条第１項において読み替えて準用する同法第５３条第１項の規定により却下すべきものである。
　
３．本願発明について
　平成２０年２月８日付けの手続補正は上記のとおり却下されたので、本願の請求項１に係る発明（以下「本願発明」という。）は、平成１９年９月１４日付けの手続補正書の特許請求の範囲の請求項１に記載された事項により特定される、以下のとおりのものである。
　
「【請求項１】
　コンピュータ画面上に複数のＧＵＩ操作子をガントチャートと共に表示するステップであって、上記ＧＵＩ操作子が、ガントチャートの時間軸上において特定の時間領域にそれぞれ割り当てられた複数のボタンであり、上記割り当てられた時間領域のカレンダー情報を表示する、ステップと、
　上記複数のＧＵＩ操作子の１つの選択に反応して、前記選択されたＧＵＩ操作子に対応する期間に上記時間軸に沿ってガントチャートを移動させるステップと
　を含む、方法。」
　
（１）引用例
　原査定の拒絶の理由に引用された引用例及びその記載事項は、前記２．（２）に記載したとおりである。
　
（２）当審の判断
　本願発明は、前記２．で検討した本願補正発明から、「複数のＧＵＩ操作子をガントチャートと共に表示するステップ」に関する限定事項である「上記カレンダー情報でなるＧＵＩ操作子の近傍にスクロールバーからなるＧＵＩ操作子が表示され、上記スクロールバーが操作されたときに、上記スクロールバーを構成するスクロールボックスの位置に対応する年月日の情報が上記画面上に表示されるように上記ガントチャートを上記時間軸に沿って移動させるステップ」を省いたものである。
　そうすると、本願発明の構成要件をすべて含み、さらに他の構成要件を付加したものに相当する本願補正発明が、前記２．（４）に記載したとおり、引用発明及び周知技術に基づいて、当業者が容易に発明をすることができたものであるから、本願発明も同様の理由により、引用発明及び周知技術に基づいて、当業者が容易に発明をすることができたものである。
　
（３）むすび
　以上のとおり、本願発明は、引用発明及び周知技術に基づいて、当業者が容易に発明をすることができたものであるから、特許法第２９条第２項の規定により特許を受けることができない。
　よって、結論のとおり審決する。